(57)【要約】【課題】  電気の供給が行われない場所であっても使用できる仮設トイレ用照明装置を提供すること。【解決手段】  仮設トイレ１を照明する仮設トイレ用照明装置１０において、太陽光等の光エネルギによって発電する太陽電池１１と、この太陽電池１１を仮設トイレ１の外部に設置する取付具１２と、この太陽電池１１の発電電力を蓄える蓄電要素と制御回路が収められる電源ユニット２０と、蓄電要素から放電される電力によって仮設トイレ１の室内５を照明する照明器３０とを備える。【選択図】    図１
2006223655.tif 000002
【特許請求の範囲】
【請求項１】
仮設トイレを照明する仮設トイレ用照明装置において、
光エネルギによって発電する太陽電池と、
この太陽電池を前記仮設トイレの外部に設置する取付具と、
前記太陽電池と分離して設けられ前記太陽電池の発電電力を蓄える電源ユニットと、
この電源ユニットから放電される電力によって前記仮設トイレの室内を照明する照明器とを備えたことを特徴とする仮設トイレ用照明装置。
【請求項２】
前記取付具は前記仮設トイレの外部に取り付けられるベースと、
このベースに対して前記太陽電池を回動可能に支持する可動フレームとを備え、
この可動フレームを回動して太陽電池の向きを変えられることを特徴とする請求項１に記載の仮設トイレ用照明装置。
【請求項３】
前記照明器はその光源として半導体発光素子を用いたことを特徴とする請求項１または２に記載の仮設トイレ用照明装置。
【請求項４】
前記電源ユニットは前記蓄電要素に充電電流を導く充電用コネクタを備え、
この充電用コネクタに前記太陽電池の発電電流を導くケーブルが着脱可能に接続されることを特徴とする請求項１から３のいずれか一つに記載の仮設トイレ用照明装置。
【発明の詳細な説明】
【技術分野】
【０００１】
本発明は、仮設トイレ用照明装置に関するものである。
【背景技術】
【０００２】
例えば、災害地等に設置される仮設トイレは、電気の供給が行われず、照明設備が使えないことがある（特許文献１参照）。
【特許文献１】特開平０９−０２８６１７号公報
【発明の開示】
【発明が解決しようとする課題】
【０００３】
しかしながら、電気の供給が行われない場所であっても、夜間に仮設トイレの室内を照明したいという要求があった。
【０００４】
本発明は上記の問題点に鑑みてなされたものであり、電気の供給が行われない場所であっても使用できる仮設トイレ用照明装置を提供することを目的とする。
【課題を解決するための手段】
【０００５】
本発明は、仮設トイレを照明する仮設トイレ用照明装置において、太陽光等の光エネルギによって発電する太陽電池と、この太陽電池を仮設トイレの外部に設置する取付具と、太陽電池と分離して設けられ太陽電池の発電電力を蓄える電源ユニットと、この電源ユニットから放電される電力によって仮設トイレの室内を照明する照明器とを備えたことを特徴とするものとした。
【発明の効果】
【０００６】
本発明によると、昼間に太陽光の光エネルギによって太陽電池が発電する電力を電源ユニットの蓄電要素に蓄え、夜間に電源ユニットの蓄電要素に蓄えられた電力を照明器に供給し、仮設トイレの室内を照明する。
【０００７】
太陽電池は取付具を介して仮設トイレの外部に設置され、太陽電池の発電電力を蓄える電源ユニットを太陽電池と分離して設ける構造のため、電源ユニットを仮設トイレの室内に設置することが可能となる。これにより、電源ユニットに設けられる蓄電池と太陽電池の大きさや形状に対する制約を少なくし、照明時間を十分に確保することができる。
【０００８】
また、仮設トイレの室内に設置される電源ユニットが風雨にさらされることがないため、電源ユニットに要求される防水性が低くなり、製品のコストダウンがはかれる。
【発明を実施するための最良の形態】
【０００９】
以下、本発明の実施の形態を添付図面に基づいて説明する。
【００１０】
図１の（ａ），（ｂ）において、１は仮設トイレであり、この仮設トイレ１は任意の場所に移送して設置することができる。
【００１１】
仮設トイレ１は、その構造壁となる筐体２と、この筐体２の上部に設けられる屋根３と、筐体２の出入り口７を開閉するドア４等を備え、これらによって画成される室内５に図示しない便器が設けられる。
【００１２】
仮設トイレ１は室内５を照明する仮設トイレ用照明装置１０を備える。この仮設トイレ用照明装置１０は、太陽光等の光エネルギによって発電する太陽電池１１と、この太陽電池１１を仮設トイレ１の外部に設置する取付具１２と、この太陽電池１１の発電電力を蓄える蓄電要素と制御回路が収められる電源ユニット２０と、蓄電要素から放電される電力によって室内５内を照明する照明器３０とを備える。
【００１３】
図２に示すように、太陽電池１１は屋根３に対して取付具１２を介して着脱可能に設置される。取付具１２は屋根３に固定ネジ１７を介して着脱可能に取り付けられるベース１３と、このベース１３に対して太陽電池１１を略垂直軸まわりに回動可能に支持する可動フレーム１４とを備え、可動フレーム１４はベース１３に固定用ネジ１５を介して締結される。固定用ネジ１５を緩めることにより、可動フレーム１４を回動して太陽電池１１の向きを変えられるようになっている。
【００１４】
固定用ネジ１５，１７はつまみ１５ａ，１７ａをそれぞれ介して手動で回すことができ、専用の工具等を用いることなく太陽電池１１の設置、取り外し作業が行えるようになっている。
【００１５】
パネル状の太陽電池１１は可動フレーム１４に対して複数のボルト介して１６を介して締結される。可動フレーム１４は水平線に対して一定の傾斜角度を持って太陽電池１１を支持する。なお、これに限らず、太陽電池１１を水平軸回りに傾転可能に支持するようにしても良い。
【００１６】
室内５にはその上部に設けられる棚６に電源ユニット２０と照明器３０が設置されるとともに、出入り口７の近傍に照明切換スイッチ２５が設置される。
【００１７】
電源ユニット２０はケーブル３１を介して太陽電池１１に接続され、ケーブル３２を介してスイッチ２５に接続され、ケーブル３３を介して照明器３０に接続される。
【００１８】
各ケーブル３１〜３３は筐体２の内壁面に係止具３４を介して着脱可能に取り付けられる。
【００１９】
電源ユニット２０と照明器３０と照明切換スイッチ２５は例えばマジックテープ（登録商標）等の係止具を介して着脱可能に取り付けられる。
【００２０】
図３に示すように、電源ユニット２０は電源ユニット２０は持ち運びが可能なケース２１を備え、このケース２１内に蓄電要素と制御基板２３が収められる。
【００２１】
電源ユニット２０はケース２１内に収められる蓄電要素としての例えばニッカド電池からなる蓄電池２２が設けられる。
【００２２】
太陽電池１１の発電電流はケーブル３１を介して電源ユニット２０に導かれ、制御基板２３を介して蓄電池２２に充電される。制御基板２３は太陽電池１１等から供給される電流を蓄電池２２に充電する充電回路と、蓄電池２２に充電される過電流を遮断する充電監視回路と、蓄電池２２からの電流を照明器３０に供給する出力回路と、蓄電池２２の蓄電圧が所定値より低下するのに伴って蓄電池２２の出力を停止する出力監視回路とを備える。
【００２３】
電源ユニット２０のケース２１には蓄電池２２に充電電流を導く充電用コネクタ２４が外部に面して取り付けられる。太陽電池１１のケーブル３１は電源ユニット２０に対してこの充電用コネクタ２４を介して着脱可能に接続される。
【００２４】
充電用コネクタ２４にはＡＣ／ＤＣ電源２６を接続可能とする。ＡＣ／ＤＣ電源２６は交流電流を直流電流に変換する。充電用コネクタ２４にＡＣ／ＤＣ電源２６から延びる出力端子２７が差し込まれ、かつ交流電源コンセントにプラグ２８が差し込まれることによって、交流電源コンセントから供給される交流電流がＡＣ／ＤＣ電源２６によって直流に変換されて電源ユニット２０に導かれ、制御基板２３を介して蓄電池２２に充電される。
【００２５】
ケース２１には表示燈４２が外部に面して取り付けられる。この表示燈４２は充電を促すためのものであり、表示燈４２が点灯して、オペレータに充電が必要なことを知らせる。
【００２６】
照明切換スイッチ２５がＯＦＦからＯＮに切り換えられると、蓄電池２２からの直流電流が制御基板２３とケーブル３３を介して供給されて照明器３０が点灯する。
【００２７】
照明器３０はその光源としてＬＥＤ（半導体発光素子）を用いた照明器であり、蓄電池２２から供給される直流電流によって点灯する。
【００２８】
仮設トイレ用照明装置１０は以上のように構成されて、昼間に太陽光の光エネルギによって太陽電池１１が発電する電力を電源ユニット２０に蓄え、夜間に電源ユニット２０に蓄えられた電力を照明器３０に供給し、仮設トイレ１の室内５を照明する。
【００２９】
仮設トイレ用照明装置１０は太陽電池１１が取付具１２を介して仮設トイレ１の外部に設置され、太陽電池１１の発電電力を蓄える電源ユニット２０を太陽電池１１と分離して設ける構造のため、電源ユニット２０を仮設トイレ１の室内５に設置することが可能となる。これにより、電源ユニット２０に設けられる蓄電池２２と太陽電池１１の大きさや形状に対する制約を少なくし、照明器３０の照明時間を十分に確保することができる。
【００３０】
仮設トイレ１の室内５に設置される電源ユニット２０が風雨にさらされないため、電源ユニット２０に要求される防水性が低くなり、製品のコストダウンがはかれる。
【００３１】
取付具１２は屋根３に取り付けられるベース１３と、このベース１３に対して太陽電池１１を回動可能に支持する可動フレーム１４とを備え、可動フレーム１４を回動して太陽電池１１の向きを変えられるため、仮設トイレ１が設置される東西南北の方角に関係なく可動フレーム１４の向きを設定し、太陽電池１１の受光量を充分に確保することができる。
【００３２】
ＬＥＤを用いた照明器３０はエジソン電球型ライトに比べて消費電力が小さく、限られた蓄電池２２の電力によって長時間の使用が可能となる。
【００３３】
照明器３０は仮設トイレ１の室内５をスポット状に照らすように設定すると、反射光が薄い壁材からなる筐体２を透けることが抑えられる。
【００３４】
本発明は上記の実施の形態に限定されずに、その技術的な思想の範囲内において種々の変更がなしうることは明白である。
【産業上の利用可能性】
【００３５】
本発明は、仮設トイレの照明装置に利用できる。
【図面の簡単な説明】
【００３６】
【図１】本発明の実施の形態を示す仮設トイレ用照明装置の斜視図。
【図２】同じく太陽電池の取付具の側面図。
【図３】同じく電源ユニットの斜視図。
【符号の説明】
【００３７】
１  仮設トイレ
５  室内
１０  仮設トイレ用照明装置
１１  太陽電池
１２  取付具
１３  ベース
１４  可動フレーム
２０  電源ユニット
３０  照明器
【図１】
2006223655.tif 000003
【図２】
2006223655.tif 000004
【図３】
2006223655.tif 000005